(57)【特許請求の範囲】
【請求項１】
部分的に隆起する隆起部を形成した座部と、前後方向に略水平に延びる座フレーム及び当該座フレームの後端部から後上方に延びて傾斜し下方より座部を支持し得る板状の後部座受を有する座受と、座部と座受とを関連づけて座部の後端部の表面を後上方に迫り上がらせる機構とを具備するものであって、
前記隆起部を前後方向に延ばすとともにその後端を座部の後端部における迫り上がりの基端部に若しくは該基端部よりも前方位置に設定し、前記迫り上がりの基端部を通じて座部の前端部側における隆起部以外の着座面と後端部の表面とを滑らかに平面的に連続させていることを特徴とする椅子。
【請求項２】
隆起部を、少なくとも座部の側端部に沿って形成していることを特徴とする請求項２椅子。
【請求項３】
隆起部を、座部の幅方向略中央部において前後に延びるように形成していることを特徴とする請求項１又は２記載の椅子。
【請求項４】
座部の後端部を、平面的に形成していることを特徴とする請求項１、２又は３記載の椅子。
【請求項５】
座部の後端部における迫り上がりの基端部において、該後端部の幅寸法を前端部側の幅寸法よりも小さく設定していることを特徴とする請求項１、２、３又は４記載の椅子。
【発明の詳細な説明】
【０００１】
【発明の属する技術分野】
本発明は、座部の後端部を迫り上がらせる機構を有する椅子に関するものである。
【０００２】
【従来の技術】
従来より、着座者の体格や着座姿勢に対応して座部の着座面における奥行き寸法を変更できるように、座部を例えば前後にスライド移動させて後端部側を迫り上がらせるようにしたスライド機構等の機構を設けた椅子が種々考えられている。また、このような椅子においては、着座者の大腿部等を安定的にホールドできるように、座部を一部隆起させた隆起部を形成したものが知られている。
【０００３】
【発明が解決しようとする課題】
ところで、スライド機構によるスライド移動に伴って座部の後端部を後上方に迫り上がらせることによって略水平な座部の表面における領域の奥行き寸法を変更しようとした場合、上述のような隆起部を座部の前端部から後端部まで連続的に形成していると、隆起部のある部位においては座部の厚み寸法が大きくなっているために他の部位に比べて湾曲又は屈曲しにくいことになり、その結果、座部の後端部を滑らかに迫り上がらせることが困難となる。
【０００４】
そこで本発明は、以上のような不具合に鑑みて、後端部を迫り上がらせる際に、その後端部の滑らかな迫り上がりを実現できる椅子を提供するものである。
【０００５】
【課題を解決するための手段】
そのために、本発明の椅子は、部分的に隆起する隆起部を形成した座部と、前後方向に略水平に延びる座フレーム及び当該座フレームの後端部から後上方に延びて傾斜し下方より座部を支持し得る板状の後部座受を有する座受と、座部と座受とを関連づけて座部の後端部の表面を後上方に迫り上がらせる機構とを具備するものであって、前記隆起部を前後方向に延ばすとともにその後端を座部の後端部における迫り上がりの基端部に若しくは該基端部よりも前方位置に設定し、前記迫り上がりの基端部を通じて座部の前端部側における隆起部以外の着座面と後端部の表面とを滑らかに平面的に連続させていることを特徴している。隆起部としては、座部を構成するクッション体に形成したものであってもよいし、クッション体を支持する座板等に形成したものであってもよく、これらクッション体と座板等を含む座部全体に部分的に隆起部を形成したものが含まれる。
【０００６】
このような構成によれば、座部に形成した隆起部が後端部にまで亘っていないので、迫り上がりの基端部を含めて座部の後端部が隆起部の存在により分厚くなることがなく、その基端部を境にして座部の後端部を前端部側から滑らかに連続させて曲げることができる。
【０００７】
特に、着座者の大腿部を外側から好適にホールドするためには、隆起部を少なくとも座部の側端部に沿って形成することが好ましい。
【０００８】
また、着座者の左右の大腿部を左右に振り分けて、楽な姿勢で座ることができるようにするには、隆起部を座部の幅方向略中央部において前後に延びるように形成することが好ましい。この場合、着座者の股の間において隆起部が前後に延びることになるが、それとともに座部の両側部にも隆起部を形成しておくと、大腿部のホールド感をより向上できることになる。
【０００９】
さらに、座部の後端部における曲げ易さと滑らかさを維持しつつ、着座者の臀部から腰にかけても座部によって好適に支持できるようにするためには、座部の後端部を、平面的に形成することが有効となる。
【００１０】
また、迫り上がりの基端部を境にした座部の曲げ易さをさらに向上するためには、座部の後端部における迫り上がりの基端部において、後端部の幅寸法を前端部側の幅寸法よりも小さくなるように設定することが望ましい。
【００１１】
【発明の実施の形態】
以下、本発明の一実施形態を、図面を参照して説明する。
【００１２】
この実施形態の椅子は、図１に示すように、座部１と、背もたれ部５と、座部１を支持する座受２と、背もたれ部５を支持する背支桿６と、座受２及び背支桿６を支持し床面に接地する脚部７とを備えている。そして、着座者の体格に応じてその臀部から大腿部までの範囲を有効に支持し得る着座面Ａの奥行き寸法を調節し得るようにするために、座部１と座受２とに関係付けて、座部１を前後にスライド移動させる移動機構たるスライド機構Ｘを設けている。このスライド機構Ｘは、座部１の後端部を後上方に迫り上がらせる機能を備えている。また、脚部７の上端部には、くの字形に屈曲するランバーサポート８を前後回転可能に取り付けている。このランバーサポート８は、着座者の腰を支持するためのもので、背もたれ部５の張り地５１の下端部５１ｂを後方から支持している。この張り地５１の上端部５１ａは背支桿６の上端部に取り付けている。
【００１３】
座部１は、図１〜図７に示すように、座本体１１と、座本体１１の前端部１１ａから中央部やや後方寄りの位置までを支持するように座本体１１の裏面側に取り付けた硬質の座板１２と、座本体１１の後端部１１ｂを支持する後部座板１３とを備えている。
【００１４】
座本体１１は、図１及び図２に示すように、クッション性を有するウレタン素材等を一体成形してなるもので、前後方向中央部やや後方よりの位置から前端部１１ａまでを略水平な状態にするとともに、後端部１１ｂ側を後上方に傾斜させて迫り上がらせている。そして、後端部１１ｂの迫り上がりの基端部１１ｘを境にしてそれよりも後端部１１ｂの幅寸法を前端部１１ａ側の幅寸法よりも小さくなるように、前記迫り上がりの基端部１１ｘにおいて側端部１１ｃに段差を設けている。また、座本体１１の表面において、着座者の大腿部を実質的に支持し得る略水平な領域を着座面Ａとして設定している。さらに、その着座面Ａにおいて、図２に斜視図で及び図３（ａ）に端面図で示すように、座本体１１の両側端部１１ｃに沿った部位及び幅方向略中央部にそれぞれ前後方向に延びて他の部位よりも隆起させた隆起部１１１を形成して、着座面Ａを三次元的に構成している。これら隆起部１１１の後端１１１ａは、前記迫り上がりの基端部１１ｘよりも前方位置に設定している。しかして、隣接する隆起部１１１同士の間の谷部分に着座者の左右の大腿部をそれぞれ乗せて、大腿部を左右から隆起部１１１で包み込むように保持するようにしている。さらに、座本体１１の後端部１１ｂの表面は、図２に斜視図で及び図３（ｂ）に端面図で示すように、二次元的すなわち平面的に形成しており、迫り上がりの基端部１１ｘ通じて着座面Ａにおける隆起部１１１以外の部位と滑らかに連続させている。なお、着座者が楽な姿勢で座ることができるように膝の裏側に対応する座本体１１の前端を、下方に緩く湾曲させている。また、座本体１１には周囲を図示しないカバー材で覆うこともできるが、ここではそれを省略している。
【００１５】
座板１２は、図３〜図７に示すように、座本体１１の裏面側だけでなく側端部１１ｃも保持するように側端部１２ｃを上方に湾曲させるとともに、前端部１２ａを座本体１１の前端に沿うように下方に緩く湾曲させた三次元的な形状を有するものである。この座板１２の前端部１２ａにおける一側端部１２ｃに沿った裏面には、正面視Ｌ字状をなすブラケット１２１の上壁１２１ａを下方からネジ止めして取り付けており、ブラケット１２１の側壁１２１ｂには前後方向に延びる長孔１２１ｃを厚み方向に貫通させて形成している。
【００１６】
後部座板１３は、図３〜図６に示すように、可撓変形可能で扁平なシート状をなす薄肉の樹脂板からなるもので、前端部１３ａを座板１２の後端部１２ｂに取り付けて座本体１１の後端部１１ｂ側の略全体を下方から保持している。この後部座板１３は、素材の可撓性により湾曲させることができるが、その可撓変形可能な範囲内で平面的にもなり得るものである。そして、裏面側に幅方向すなわち座部１のスライド移動方向と直交する方向に延びる溝部１３１を前後に所定間隔で複数形成している。この溝部１３１は、下方に向けて側面視略三角形状に開口するように後部座板１３の裏面に刻み付けて形成したものである。また、この複数の溝部１３１を横切るように後部座板１３の厚みを貫通して前後方向に延びる左右一対の長孔１３２を設けている。これら長孔１３２は、それぞれ後述する座フレーム２１の略真上に位置づけられるように形成している。
【００１７】
座受２は、図１及び図４〜図７に示すように、前端部を脚部７に支持させるとともに後端部を背支桿６に支持させて前後方向に向けて略水平に延びる左右一対の座フレーム２１と、両座フレーム２１同士を連結する連結部材２２とを具備している。座フレーム２１は、上壁２１１、外側壁２１２及び内側壁２１３を有し下向きに開口する断面視コ字型のチャネル材であり、連結部材２２は、前壁２２１、後壁２２２及び底壁２２３を有し船形をなすものであって、座フレーム２１の内側壁２１３に連結部材２２の各壁の外向面を溶接などにより連結して、座フレーム２１の補強を図っている。また、この長孔１２１ｃには、座フレーム２１の内側壁２１３における前端部には、略水平方向にピン２３を取り付けており、このピン２３を座板１２のブラケット１２１に形成した長孔１２１ｃに挿入して、座部１のスライド移動可能な範囲を、ピン２３に沿って長孔１２１ｃが前後移動し得るように規定している。さらに、座フレーム２１の後端部間には、後上方に延びて傾斜する板状の後部座受３の下端部を蝶番３１を介して回転可能に取り付けている。この後部座受３の上端部３ｂには下方に向けて板状のブラケット３２を取り付けており、このブラケット３２に形成した左右に貫通する孔部３２１に、前記ランバーフレームの屈曲部位に設けたピン８ａを移動可能に挿入することによって、後部座受３とランバーサポート８とを接続している。
【００１８】
後部座板１３と座受２及び後部座受３との間には、図６に拡大して示すように、座部１のスライド移動に際して後部座板１３の浮き上がりを防止し得る浮上抑制部Ｚを形成している。具体的にこの浮上抑制部Ｚは、後部座板１３に形成した前記長孔１３２と、この長孔１３２に挿入するように座フレーム２１の後端部及び後部座受３の下端部３ａにそれぞれ取り付けたピンＰとから構成される。このピンＰは、長孔１３２の左右における開口幅よりも大きい径を有する頭部Ｐａと、長孔１３２に挿入される軸部Ｐｂとを有するものである。そして、座部１を座受２及び後部座受３に取り付けるに際して、ピンＰの軸部Ｐｂを長孔１３２に挿入するとともに、頭部Ｐａを長孔１３２の表面側に表出させて、頭部Ｐａの下面で後部座板１３を下方に押さえ付けるようにしている。
【００１９】
一方、スライド機構Ｘは、図１、図６及び図７に示すように、座受２に取り付けた一対のラックギアＲＧと、このラックギアＲＧと噛み合うように座部１に取り付けた一対のピニオンギアＰＧとから構成される。ラックギアＲＧは、それぞれ上向面に前後に平行して並べた複数の歯を有する細長い板状をなすもので、連結部材２２の底壁２２３の上面における側端部に固定している。ピニオンギアＰＧは周壁に前記ラックギアＲＧと等ピッチで歯を形成した円盤状をなすもので、正面視Ｌ字状をなすブラケット１４の側壁１４２に水平支軸ａを介して回転可能に取り付けている。このブラケット１４の上壁１４１は、下方から座板１２にネジ止めしている。また、水平支軸ａは、左右のピニオンギアＰＧに共通のものであって、両ピニオンギアＰＧの動作の同期を図っている。さらに、このスライド機構Ｘにおいては、ピニオンギアＰＧがラックギアＲＧに沿って回転しながら前後移動した任意の位置でピニオンギアＰＧの回転を禁止して座部１のスライド移動を規制する規制手段Ｙを備えている。この規制手段Ｙは、座板１２の前端部１２ａにおける下方に配置した操作レバー４を上下に回転させるように操作することによって上下動し、ピニオンギアＰＧと選択的に離接して噛み合うストッパギアＳＧを有している。すなわち、操作レバー４とストッパギアＳＧは、操作レバー４の回転動作をストッパギアＳＧの上下動作に変換する接続部４１を介して接続されており、操作レバー４の操作によって、座部１をスライド移動可能な状態と移動を規制された状態とに選択的に切り替えることができるように構成している。
【００２０】
しかして、操作レバー４を操作を通じてストッパギアＳＧを上動させ、ピニオンギアＰＧが回転可能な状態にした上で、このピニオンギアＰＧをラックギアＲＧに沿って回転させながら座部１を前後移動させると、後部座板１３における撓みの位置が変化することになる。そのとき、湾曲の度合いが大きい部位においては溝部１３１の前後方向への開き具合が大きくなり、またその他の部位においても湾曲度合いに応じた大きさに溝部１３１が開き又は閉じることとなるため、後部座板１３全体が滑らかに湾曲する。一方、このように滑らかに湾曲した後部座板１３に保持された座本体１１は、後方への迫り上がりの基端部１１ｘに凹凸形状の皺が生じることなく滑らかに湾曲することとなり、座本体１１の表面は前端部１１ａ側から後端部１１ｘ側に亘って屈曲することなく滑らかに連続する。また、座部１のスライド移動の際には、後部座板１３の長孔１３２が座受２及び後部座受３のピンＰに沿って前後移動するが、後部座板１３はピンの頭部Ｐａによって下方に押さえられているために浮き上がりを生じることがなく、その結果、座本体１１の後端部１１ｂにおける座受２及び後部座受３からの浮き上がりが防止されることになる。なお、座本体１１の表面における滑らかさは、操作レバー４を操作してストッパギアＳＧとピニオンギアＰＧとを噛み合わせ、着座面Ａの奥行き寸法を着座者の体格に対応させて座部１の移動を規制した状態においても維持される。
【００２１】
また、本実施形態の椅子では、スライド機構Ｘを通じて着座面Ａの奥行き寸法を適宜に調節した位置で、ランバーサポート８を脚部７に支持された下端部を中心に前後に回転させて、着座者の腰を前方に押し出すような姿勢に背もたれ部５の張り地５１の下端部５１ｂを前方へ押し出すことができるようにしている。すなわち、このランバーサポート８を動作させる機構も、座部１の後端部１１ｂを迫り上がらせる機能を有している。そして、ランバーサポート８を前方に回転させた際には、このランバーサポート８に設けたピン８ａが後部座受３のブラケット３２に形成した孔部３２１内を上方へ移動することになる。そのときランバーサポート８は後部座受３を下方から前上方へ押し上げることになるが、後部座受３は下端部３ａの蝶番３１を中心にして前方へ回転する。この場合にも、後部座板１３は、溝部１３１の開口幅を広げながら滑らかに湾曲の度合いを強めるために滑らかに湾曲し、それに伴って座本体１１の後方への傾斜角度が大きくなっても迫り上がりの基端部１１ｘが凹凸形状の皺を生じることなく滑らかに湾曲して、着座者には快適な座り心地を与えることができる。
【００２２】
このように、本実施例の椅子は、スライド機構Ｘによって座部１を、その一要素である座本体１１の後端部１１ｂが後上方に迫り上がるように前後にスライド移動させることができるため、着座者の体格や姿勢に応じて着座面Ａの奥行き寸法を適切に調節して快適な座り心地が得られるようにしたものである。そして、座本体１１の表面に形成した前後方向に延びる隆起部１１１の後端１１１ａを、座本体１１の後端部１１ｂにおける迫り上がりの基端部１１ｘよりも前方位置に設定しており、その迫り上がりの基端部１１ｘを境にして前端部１１ａ側における隆起部１１１以外の部位と後端部１１ｂとを滑らかに連続させるように構成しているため、後端部１１ｂには隆起部１１１が及んでいないことからその後端部１１ｂが分厚くならず、その結果、迫り上がりの基端部１１ｘを滑らかに湾曲させて着座時の快適さをさらに向上することができる。したがって、このような椅子によれば、座本体１１の前端部１１ａ側では着座者の大腿部を好適に支持することができるだけでなく、後上方に迫り上がる後端部１１ｂでは臀部から腰にかけての部位を良好に支持することができ、さらには臀部と大腿部との境目に対応する迫り上がりの基端部１１ｘおいても滑らかな接触感が得られることになり、極めて良好な座り心地の椅子を構成することが可能である。
【００２３】
特に、着座面Ａに形成した隆起部１１１を、座本体１１の両側端部１１ｃに沿った部位と、幅方向略中央部とにそれぞれ前後に延びるように形成しているため、着座者の左右の大腿部をそれぞれ外側及び内側からホールドして、安定感のある座り心地を得ることができる。
【００２４】
また、座本体１１の後端部１１ｂにおける表面は平面的に形成しているので、座部１のスライド移動によって迫り上がりの基端部１１ｘの位置が前後に変化しても、湾曲の滑らかさを維持することができるため、着座者の臀部から腰にかけてを異物感なく好適に支持することができる。
【００２５】
さらに、座本体１１の迫り上がりの基端部１１ｘにおいて、側端部１１ｃに段差が生じるように、後端部１１ｂの幅寸法を前端部１１ａ側の幅寸法よりも小さく設定しているので、形成された段差によって迫り上がりの基端部１１ｘを境にした湾曲のさせ易さをさらに向上することができる。
【００２６】
なお、本発明は上記実施形態に限られるものではなく、隆起部の後端が迫り上がりの基端部を越えて後端部にまで及んでいなければ、座本体の側端部にのみ或いは中央部にのみ、若しくは他の適切な部位に形成してもよい。また、スライド機構などのその他各部の具体的構成についても上記実施形態に限られるものではなく、本発明の趣旨を逸脱しない範囲で種々変形が可能である。
【００２７】
【発明の効果】
本発明は、以上説明したような形態で実施され、以下に記載されるような効果を奏する。
【００２８】
すなわち、本発明の椅子は、座部をその後端部が後上方に迫り上がるに当たって、座部に形成した前後方向に延びる隆起部の後端を、座部の後端部における迫り上がりの基端部に若しくはそれよりも前方位置に設定し、その迫り上がりの基端部を境にして座部の前端部側における隆起部以外の部位と後端部とを滑らかに連続させるように構成している。そのため、座部に形成した隆起部が後端部にまで亘っていないので、迫り上がりの基端部を含めて座部の後端部が隆起部の存在により分厚くなることがなく、その基端部を境にして座部の後端部を前端部側から滑らかに連続させて曲げることができる。したがって、このような椅子によれば、座部の前端部側においては着座者の体格に応じてその領域の奥行き寸法を適切に変更して大腿部を有効に支持できるとともに、後上方に迫り上がる座部の後端部では着座者の臀部から腰にかけての部位を良好に支持することができ、さらには臀部と大腿部との境目においても滑らかな接触感が得られることになり、極めて良好な座り心地の椅子を構成することが可能である。
【００２９】
特に、隆起部を少なくとも座部の側端部に沿って形成している場合には、着座者の大腿部を外側からホールドして、安定感のある座り心地を得ることができる。また、隆起部を座部の幅方向略中央部において前後に延びるように形成すると、着座者の股の間において隆起部が前後に延びることになって、着座者の左右の大腿部を座部上で左右に分けて楽な姿勢で座ることができ、さらには、座部の両側端部と中央部にそれぞれ隆起部を形成すれば、左右の大腿部をそれぞれ内外からホールドできるため、着座時の安定感を更に向上することが可能である。
【００３０】
また、座部の後端部を平面的に形成すれば、スライド移動によって座部の後端部における迫り上がりの基端部の位置が変化しても、その基端部における曲げ易さと滑らかさを維持することができる上に、着座者の臀部から腰にかけてを異物感なく好適に支持することができる。
【００３１】
さらに、座部の後端部における迫り上がりの基端部において、例えば座部の側端部に段差を形成するなどして後端部の幅寸法を前端部側の幅寸法よりも小さく設定している場合には、座部の幅寸法が前端部から後端部まで略一定である場合と比べて、迫り上がりの基端部を境にした座部の曲げ易さを有効に向上することができる。
【図面の簡単な説明】
【図１】本発明の一実施形態を示す概略的な側面図。
【図２】同実施形態における座本体の斜視図。
【図３】同座部の要部を示す概略的な端面図。
【図４】同実施形態の座板及び後部座板を後下方から見た状態を示す斜視図。
【図５】同座部、座受及び後部座受の後端部側を拡大して示す断面図。
【図６】同実施形態の要部を示す側断面図。
【図７】同縦断面図。
【符号の説明】
１…座部
１１ａ…前端部
１１ｂ…後端部
１１ｃ…側端部
１１ｘ…迫り上がりの基端部
１１１…隆起部
Ｘ…スライド機構
【図１】
0004018329.tif 000002
【図２】
0004018329.tif 000003
【図３】
0004018329.tif 000004
【図４】
0004018329.tif 000005
【図５】
0004018329.tif 000006
【図６】
0004018329.tif 000007
【図７】
0004018329.tif 000008